(57)【特許請求の範囲】
【請求項１】
前面板の下部を外側にＬ字状に折り曲げて下刃を形成し、内部中央に横架した駆動ネジ棒を回転自在に軸支する軸受を前面板および後面板に備えてなる直方体形状のカッター本体と、後枠に前記駆動ネジ棒に螺合する雌ネジ軸受を有すると共に前記カッター本体の外側に延長した前枠に前記下刃との鋏合い位置に上刃を設け、前記カッター本体の側板を案内として摺動する長方形状の可動枠と、前記カッター本体の下刃に近接して爪切り調節板の位置調節自在に形成した爪切り調節部と、前記カッター本体の外側に取付枠により固定され、カッター本体内に横架した駆動ネジ棒を回転駆動する駆動装置とからなることを特徴とする削蹄用カッター。
【発明の詳細な説明】
【０００１】
【発明の属する技術分野】
本発明は、家畜、特に牛の蹄を短く切ったり削ったりすることができる削蹄用カッターに関する。
【０００２】
【従来の技術】
一般に、削蹄とは、家畜の蹄の負重を安定させて蹄の機能をできるだけよく発揮させるために、蹄を短く切ったり削ったりすることである。
その削蹄による護蹄法は、剪鉗や蹄刀による作業であるため、熟練した技術が必要であり、かつ重労働であった。
そのため、蹄を簡単に短く切ったり削ったりすることができる削蹄用カッターが望まれていた。
【０００３】
【発明が解決しようとする課題】
本発明は、家畜、特に牛の蹄を短く切ったり削ったりすることができる削蹄用カッターを提供することを目的とする。
【０００４】
【課題を解決するための手段】
本発明の削蹄用カッターは、前面板の下部を外側にＬ字状に折り曲げて下刃を形成し、内部中央に横架した駆動ネジ棒を回転自在に軸支する軸受を前面板および後面板に備えてなる直方体形状のカッター本体と、後枠に前記駆動ネジ棒に螺合する雌ネジ軸受を有すると共に前記カッター本体の外側に延長した前枠に前記下刃との鋏合い位置に上刃を設け、前記カッター本体の側板を案内として摺動する長方形状の可動枠と、前記カッター本体の下刃に近接して爪切り調整板の位置調節自在に形成した爪切り調節部と、前記カッター本体の外側に取付枠により固定され、カッター本体内に横架した駆動ネジ棒を回転駆動する駆動装置とからなるものである。
【０００５】
【実施例】
以下、本発明の一実施例を図面に基づいて説明する。
図１は、本発明の削蹄用カッターを斜下方から見た全体斜視図であり、図２は、カッター本体１に可動枠２を収納した状態の正面図であり、図３は、同様にカッター本体１に可動枠２を収納した状態の平面図である。
本発明の削蹄用カッターは、図２に示すように、前面板３の下部を外側にＬ字状に折り曲げて下刃４を形成し、内部中央に横架した駆動ネジ棒５を回転自在に軸支する軸受６を前面板３および後面板７に備えてなる直方体形状のカッター本体１と、後枠８に前記駆動ネジ棒５に螺合する雌ネジ軸受９を有すると共に前記カッター本体１の外側に延長した前枠１０に前記下刃４との鋏合い位置に上刃１１を設け、前記カッター本体１の側板１２を案内として摺動する長方形状の可動枠２と、前記カッター本体１の下刃４に近接して爪切り調節板１３の位置調節自在に形成した爪切り調節部１４と、図１に示すように、前記カッター本体１の外側に取付枠１５により固定され、カッター本体１内に横架した駆動ネジ棒５を回転駆動する駆動装置１６とからなる。
【０００６】
前記カッター本体１は、図３に示すように、前面板３、側板１２、後面板７、側板１２、底板１７からなる直方体であり、前面板３及び後面板７のそれぞれの中央には水平方向に駆動ネジ棒５を回転自在に軸支する軸受６が設けられる。
また、図２に示すように、前面板３の下部を外側にＬ字状に折り曲げて先端部に刃先を有する下刃４を形成する。
そして、図１に示すように、後面板７側には、前記駆動装置１６を支持する取付枠１５が固定されて、例えば電動モータ１８等を支持するようになっており、さらに後面板７側の下方には略Ｌ字形の支えアーム１９を設けて爪切り作業時のカッター支えとする。
なお、本実施例ではカッター本体１の上方を開放としているが、天板を設けて見えないように閉鎖しても良い。
【０００７】
前記可動枠２は、図３に示すように、前記カッター本体１の内側に配置され、後枠８、ガイド枠２０、前枠１０、ガイド枠２０からなるロ字状の枠体であり、前記カッター本体１の外側に延長した前枠１０には前記下刃４に刃先を向けた上刃１１を上刃固定ピン３７により固定してなり、後枠８には駆動ネジ棒５に螺合する雌ネジ軸受９を中央に取付け固定してなり、前記駆動ネジ棒５の回転に伴って雌ネジ軸受９、すなわち可動枠２全体が移動するようになっている。
なお、上刃１１は可動枠２側方の挿入孔（図５の上刃１１で示す個所）から挿入され、前枠１０に上刃１１背面を当接して支持され、前記上刃固定ピン３７を上方から上刃１１に差し込むことにより可動枠２に交換自在に固定される。
左右のガイド枠２０は、図４に示すように、前面板３の左右に形成した開口部２１を挿通し、該開口部２１をガイドにして移動するように前記カッター本体１の側板１２より長く形成し、図２、３に示すように、可動枠２がカッター本体１に完全に引き込まれた状態で、下刃４と上刃１１とが鋏合うような長さになっている。
【０００８】
前記爪切り調節部１４は、図５に示すように、前記カッター本体１の側板１２に左右のアーム２２の枢支部２３を回動自在に枢支し、前記カッター本体１を跨ぐように左右のアーム２２の先端を把手２４により連結して門型に形成し、一方アーム２２の下端は回動に支障がないようにカッター本体１の底板１７より突出し、アーム２２下端同士を連結する連結バー２５を設ける。
また、前記連結バー２５を前後から挟む支承枠２６を後端に有し、前下方に傾斜する爪切り調節板１３を前端に有する可動板２７（図４を参照）を設け、該可動板２７はカッター本体１の底部を摺動できるように押さえ板２８により押さえ保持されている。
したがって、前記把手２４を動かしアーム２２の回動により枢支部２３を支点にしてアーム２２が回転し、それに伴って前記連結バー２５が前記支承枠２６を押すことによって回転運動を直線運動に変換し、可動板２７が摺動して爪切り調節板１３を進退させることができる。
さらに、図６のＢ−Ｂ矢視断面図に示すように、断面Ｌ字形のアーム２２の一方には、側板１２の邪魔にならない位置に爪部２９を固定し、図５に示すように、該爪部２９に係合する鋸歯部３０を下方に備える細長板状のストッパー３１を前記カッター本体１の側板１２に取付板３２を介して回転自在に設ける。
爪切り調節部１４は、上記実施例に限らず、図７に示すように、爪切り調節板１３が前記カッター本体１の底部に固定された支持枠３３の長孔を上下調節自在とし、蝶ネジ３４で締め付け固定したり、図８に示すように、前記カッター本体１の底部に固定された支持枠３３の円弧孔を角度調節自在とし、蝶ネジ３４で締め付け固定して位置調節することができる。
【０００９】
前記駆動装置１６は、図１に示すように、前記カッター本体１の取付枠１５に固定された電動モータ１８に減速器、軸継ぎ手を介して連結された駆動ネジ棒５を回転駆動する。
なお、前記駆動装置１６は、電動モータ１８に限らず、油圧式や空気圧式であっても良い。
【００１０】
次に、本発明の削蹄用カッターの操作動作について図面に基づいて説明する。まず、図１に示すように、電動モータ１８を駆動し駆動ネジ棒５を正回転させ、駆動ネジ棒５に螺合している雌ネジ軸受９を移動させて可動枠２が繰り出された状態、すなわち下刃４と上刃１１とが離間した状態で、図７に示すように、家畜の蹄３５を爪切り調節板１３に当てる。
この時、蹄３５の切除部分（斜線部分）３６の厚さが不適当であれば、図５に示すように、ストッパー３１を持ち上げて鋸歯部３０と爪部２９とのロックを解除した後、把手２４を動かして爪切り調節板１３の位置を移動して蹄３５の切除部分３６の厚さを調整し、ストッパー３１を下ろして鋸歯部３０を爪部２９に係合させてロックする。
そして、電動モータ１８の作動スイッチ（図示せず）を押して電動モータ１８を駆動し、駆動ネジ棒５を逆回転させる。
前記駆動ネジ棒５が逆回転すると、駆動ネジ棒５に螺合している雌ネジ軸受９が電動モータ１８側へ移動して可動枠２をカッター本体１側へ引き戻す。
これによって、上刃１１が下刃４に向かって家畜の蹄３５を切除しながら移動し、切除された蹄は前枠１０上から排出される。
このようにして、簡単に削蹄ができ、切除が完了した状態では、図２に示すように、下刃４と上刃１１とは鋏合っている。
引き続き、削蹄を行う場合には、先程と同様に下刃４と上刃１１とを離間状態にして同様な操作を行う。
【００１１】
【効果】
本発明の削蹄用カッターは、爪切り調節部を有することによって、簡単に切除部分の厚さを調整することができると共に、駆動装置を備えるので、下刃と上刃とを機械動作により人力を必要とすることなく、簡単に削蹄作業を行うことができる。
【図面の簡単な説明】
【図１】本発明の削蹄用カッターの斜視図である。
【図２】本発明の削蹄用カッターの一部省略正面図である。
【図３】本発明の削蹄用カッターの要部平面図である。
【図４】図２におけるＡ−Ａ矢視断面図である。
【図５】本発明の削蹄用カッターの要部正面図である。
【図６】図５におけるＢ−Ｂ矢視断面図である。
【図７】本発明の爪切り調節板の他の実施例の要部正面図である。
【図８】本発明の爪切り調節板の他の実施例の要部正面図である。
【符号の説明】
１  カッター本体
２  可動枠
３  前面板
４  下刃
５  駆動ネジ棒
６  軸受
７  後面板
８  後枠
９  雌ネジ軸受
１０前枠
１１上刃
１２側板
１３爪切り調節板
１４爪切り調節部
１５取付枠
１６駆動装置
１７底板
１８電動モータ
１９支えアーム
２０ガイド枠
２１開口部
２２アーム
２３枢支部
２４把手
２５連結バー
２６支承枠
２７可動板
２８押さえ板
２９爪部
３０鋸歯部
３１ストッパー
３２取付板
３３支持枠
３４蝶ネジ
３５蹄
３６切除部分
３７上刃固定ピン
【図１】
0003569265.tif 000002
【図２】
0003569265.tif 000003
【図３】
0003569265.tif 000004
【図４】
0003569265.tif 000005
【図５】
0003569265.tif 000006
【図６】
0003569265.tif 000007
【図７】
0003569265.tif 000008
【図８】
0003569265.tif 000009